(57)【要約】    【課題】      頻繁な通信モードの切替を防止すること。    【解決手段】  携帯無線端末１００は、複数ネットワークシステム中のそれぞれのネットワークシステムと通信する複数の通信モードを有する携帯無線端末である。また、移動速度算出部１１０は、携帯無線端末１００の移動速度を算出する。また、端末制御部１０４は、携帯無線端末１００の通信モードを複数の通信モード中のいずれかに設定する。また、端末制御部１０４は、移動速度算出部１１０により算出された移動速度が閾値以上である場合には、携帯無線端末１００の通信モードを無線ＬＡＮシステムと通信する通信モードに設定することを拒否する。また、端末制御部１０４は、移動速度算出部１１０により算出された移動速度が閾値未満である場合には、携帯無線端末１００の通信モードを無線ＬＡＮシステムと通信する通信モードに設定することを許可する。  【選択図】      図１
2007074517.tif 000002
【特許請求の範囲】
【請求項１】
複数ネットワークシステム中のそれぞれのネットワークシステムと通信する複数の通信モードを有する携帯無線端末であって、
前記携帯無線端末の移動速度を算出する算出手段と、
前記複数の通信モード中のいずれかに設定する設定手段と、
前記算出手段により算出された移動速度が閾値以上である場合には、前記設定手段の無線ＬＡＮシステムと通信する通信モードへの設定を拒否し、
前記算出手段により算出された移動速度が閾値未満である場合には、前記設定手段の無線ＬＡＮシステムと通信する通信モードへの設定を許可する制御手段と、
を具備することを特徴とする携帯無線端末。
【請求項２】
前記無線ＬＡＮシステムの無線周波数及び信号強度を監視する監視手段を更に具備し、
前記監視手段は、
前記算出手段により算出された移動速度が前記閾値以上である場合には、前記無線ＬＡＮシステムの無線周波数及び信号強度の監視を停止し、
前記設定手段は、
前記携帯無線端末の通信モードを前記複数の通信モード中の無線ＬＡＮシステムと通信する通信モード以外の通信モードに設定する、
ことを特徴とする請求項１記載の携帯無線端末。
【請求項３】
前記無線ＬＡＮシステムへの接続を認証する認証手段を更に具備し、
前記認証手段は、
前記監視手段により前記無線ＬＡＮシステムの無線周波数が所定の周波数であること及び前記無線ＬＡＮシステムの信号強度が規定値以上であることが判断された場合に、前記無線ＬＡＮシステムへの接続を認証し、
前記監視手段は、
前記認証手段により前記接続の認証が確認されなかった場合に、前記無線ＬＡＮシステムの無線周波数及び信号強度の監視を停止し、
前記設定手段は、
前記携帯無線端末の通信モードを前記複数の通信モード中の無線ＬＡＮシステムと通信する通信モード以外の通信モードに設定する、
ことを特徴とする請求項２記載の携帯無線端末。
【請求項４】
複数ネットワークシステムとの通信が可能な携帯無線端末の通信モード切替方法であって、
前記携帯無線端末の移動速度を算出する算出ステップと、
前記算出ステップにより算出された移動速度が閾値以上である場合には、前記携帯無線端末の通信モードを無線ＬＡＮシステムと通信する通信モードに設定することを拒否し、
前記算出ステップにより算出された移動速度が閾値未満である場合には、前記携帯無線端末の通信モードを無線ＬＡＮシステムと通信する通信モードに設定することを許可する制御ステップと、
を具備することを特徴とする携帯無線端末の通信モード切替方法。
【発明の詳細な説明】
【技術分野】
【０００１】
本発明は、携帯無線端末及びその通信モード切替方法に関し、特に、複数ネットワークシステム（例えばセルラー移動無線電話システム及び無線ＬＡＮシステムなど）に対応した携帯無線端末及びその通信モード切替方法に関する。
【背景技術】
【０００２】
通信モード切替方法において、従来技術としては、例えば特許文献１、特許文献２及び特許文献３に記載されたものがある。
【０００３】
特許文献１では、複数のネットワーク接続手段を有する端末装置のためのネットワーク自動切替システムにおいて、端末装置の位置情報とその移動速度情報及びデータベースに格納された接続情報に基づき、ネットワーク接続手段を自動的に切り替える。
【０００４】
また、特許文献２では、セルラー移動無線電話システムと無線ＬＡＮシステムとの通信が可能な携帯端末における通信モードの切替において、無線ＬＡＮシステムの信号強度に基づいて、通信モードを無線ＬＡＮシステムと通信する通信モードにするか、セルラー移動無線電話システムと通信する通信モードにするかを決定する。特に、無線ＬＡＮシステムの信号強度を測定するにあたり、信号強度を規定回測定し、平均信号強度が規定値以上であれば通信システムを切り替えない。
【０００５】
そして、特許文献３では、マルチモード端末（ＣＤＭＡやＧＳＭなどのセルラー移動無線電話システム及び無線ＬＡＮシステムとの通信が可能な携帯端末）において、端末の位置情報（地理的な座標）と、端末が有する位置情報に基づいたアクセス可能な無線通信ネットワーク情報から、最適な通信ネットワーク（通信モード）を選択する。
【特許文献１】特開２００１−３０９４４５号公報
【特許文献２】特開２００４−９６７０７号公報
【特許文献３】特表２００３−５１７８０３号公報
【発明の開示】
【発明が解決しようとする課題】
【０００６】
しかしながら、特許文献１に記載された方法では、通信ネットワークの切替が行われる場合に、最適な通信ネットワーク接続手段を選択するためのデータベースを予め用意する必要があり、利便性に欠ける。
【０００７】
また、特許文献２に記載された方法では、信号の急変化により通信モードを頻繁に変更しないように、信号強度の測定方法を工夫（信号強度の平均値の求め方）しているが、例えば、端末装置の使用者が移動し、且つ無線ＬＡＮアクセスポイントが連続的に設置されている場所を通過する場合、通信モードの切替が頻繁に発生する。
【０００８】
また、特許文献３に記載された方法では、例えば、無線通信装置の使用者が、電車や車などを使用して高速に移動している場合、位置情報に基づいた無線通信ネットワークの選択を行うことは、携帯端末及び通信ネットワークに多大な処理負荷を発生させる。
【０００９】
更に、無線ＬＡＮシステムは、広域且つ連続的な通信エリアを有しているセルラー移動無線電話システムとは異なり、不連続（スポット的）に配置されているため連続的な通信エリアを有しておらず、また送信出力が１００ｍＷ以下に制限されているため通信エリアが狭い。そのため、携帯無線端末が移動している状態において、通信モードを無線ＬＡＮシステムと通信する通信モードにして無線ＬＡＮシステムとの通信を行っても、通信エリア外となってしまい、継続的な通信サービスを受けることができない。よって、携帯無線端末の移動速度が速いときに、継続的な通信サービスを受けるためには、頻繁な通信モードの切替が発生するという問題がある。
【００１０】
本発明は、かかる点に鑑みてなされたもので、頻繁な通信モードの切替を防止することができる携帯無線端末及びその通信モード切替方法を提供することを目的とする。
【課題を解決するための手段】
【００１１】
本発明の携帯無線端末は、複数ネットワークシステム中のそれぞれのネットワークシステムと通信する複数の通信モードを有する携帯無線端末であって、前記携帯無線端末の移動速度を算出する算出手段と、前記複数の通信モード中のいずれかに設定する設定手段と、前記算出手段により算出された移動速度が閾値以上である場合には、前記設定手段の無線ＬＡＮシステムと通信する通信モードへの設定を拒否し、前記算出手段により算出された移動速度が閾値未満である場合には、前記設定手段の無線ＬＡＮシステムと通信する通信モードへの設定を許可する制御手段と、を具備する構成を採る。
【００１２】
この構成によれば、制御手段は、携帯無線端末の移動速度が閾値以上である場合には、設定手段の無線ＬＡＮシステムと通信する通信モードへの設定を拒否し、携帯無線端末の移動速度が閾値未満である場合には、設定手段の無線ＬＡＮシステムと通信する通信モードへの設定を許可するため、頻繁な通信モードの切替を防止し、携帯無線端末及びネットワークシステムの処理負荷を低減しながら、継続的な通信サービスを受け、且つ利便性を向上させることができる。
【００１３】
本発明の携帯無線端末は、上記構成において、前記無線ＬＡＮシステムの無線周波数及び信号強度を監視する監視手段を更に具備し、前記監視手段は、前記算出手段により算出された移動速度が前記閾値以上である場合には、前記無線ＬＡＮシステムの無線周波数及び信号強度の監視を停止し、前記設定手段は、前記携帯無線端末の通信モードを前記複数の通信モード中の無線ＬＡＮシステムと通信する通信モード以外の通信モードに設定する構成を採る。
【００１４】
この構成によれば、携帯無線端末の移動速度が閾値以上である場合には、無線ＬＡＮシステムの無線周波数及び信号強度の監視を停止するため、携帯無線端末及びネットワークシステムの処理負荷を低減することができる。
【００１５】
本発明の携帯無線端末は、上記構成において、前記無線ＬＡＮシステムへの接続を認証する認証手段を更に具備し、前記認証手段は、前記監視手段により前記無線ＬＡＮシステムの無線周波数が所定の周波数であること及び前記無線ＬＡＮシステムの信号強度が規定値以上であることが判断された場合に、前記無線ＬＡＮシステムへの接続を認証し、前記監視手段は、前記認証手段により前記接続の認証が確認されなかった場合に、前記無線ＬＡＮシステムの無線周波数及び信号強度の監視を停止し、前記設定手段は、前記携帯無線端末の通信モードを前記複数の通信モード中の無線ＬＡＮシステムと通信する通信モード以外の通信モードに設定する構成を採る。
【００１６】
この構成によれば、監視手段は、認証手段により無線ＬＡＮシステムへの接続の認証が確認されなかった場合には、無線ＬＡＮシステムの無線周波数及び信号強度の監視を停止し、設定手段は、携帯無線端末の通信モードを複数の通信モードネットワークシステム中の無線ＬＡＮシステムと以外のネットワークシステムと通信する通信モード以外の通信モードに設定するため、携帯無線端末及びネットワークシステムの処理負荷を低減しながら、継続的な通信サービスを受けることができる。
【００１７】
本発明の携帯無線端末の通信モード切替方法は、複数ネットワークシステムとの通信が可能な携帯無線端末の通信モード切替方法であって、前記携帯無線端末の移動速度を算出する算出ステップと、前記算出ステップにより算出された移動速度が閾値以上である場合には、前記携帯無線端末の通信モードを無線ＬＡＮシステムと通信する通信モードに設定することを拒否し、前記算出ステップにより算出された移動速度が閾値未満である場合には、前記携帯無線端末の通信モードを無線ＬＡＮシステムと通信する通信モードに設定することを許可する制御ステップと、を具備するようにした。
【００１８】
この方法によれば、制御ステップは、携帯無線端末の移動速度が閾値以上である場合には、携帯無線端末の通信モードを無線ＬＡＮシステムと通信する通信モードに設定することを拒否し、携帯無線端末の移動速度が閾値未満である場合には、携帯無線端末の通信モードを無線ＬＡＮシステムと通信する通信モードに設定することを許可するため、頻繁な通信モードの切替を防止し、携帯無線端末及びネットワークシステムの処理負荷を低減しながら、継続的な通信サービスを受け、且つ利便性を向上させることができる。
【発明の効果】
【００１９】
本発明によれば、頻繁な通信モードの切替を防止することができる。
【発明を実施するための最良の形態】
【００２０】
以下、本発明の実施の形態について、図面を用いて詳細に説明する。
【００２１】
図１は、本発明の一実施の形態に係る携帯無線端末１００を示す構成図である。図１に示す携帯無線端末１００は、セルラー通信部１０１、無線ＬＡＮ通信部１０２、情報取得部１０３、端末制御部１０４、入力部１０５、ＲＯＭ（Read Only Memory）１０６、ＲＡＭ（Random Access Memory）１０７、表示部１０８、位置算出部１０９及び移動速度算出部１１０を有する。携帯無線端末１００は、セルラー通信部１０１及び無線ＬＡＮ通信部１０２を介してセルラー移動無線電話システム（Ｗ−ＣＤＭＡ方式、ＧＳＭ方式及びＰＤＣ方式のいずれかの方式）及び無線ＬＡＮシステムとそれぞれ通信を行う。
【００２２】
セルラー通信部１０１は、携帯無線端末１００の通信モードが端末制御部１０４によりセルラー移動無線電話システムと通信する通信モードに設定された時、携帯無線端末１００とセルラー移動無線電話システムが通信を行うための無線部として使用される。
【００２３】
無線ＬＡＮ通信部１０２は、携帯無線端末１００の通信モードが端末制御部１０４により無線ＬＡＮシステムと通信する通信モードに設定された時、携帯無線端末１００と無線ＬＡＮシステムが通信を行うための無線部として使用される。また、監視手段としての無線ＬＡＮ通信部１０２は無線ＬＡＮシステムの無線周波数及び信号強度を監視する。
【００２４】
情報取得部１０３は、ＧＰＳ衛星からの電波を受信し、情報を取得するための情報取得部（ＧＰＲＳ電波受信装置）として使用される。言い換えれば、情報取得部１０３は基地局から得たＧＰＳ衛星を捕捉する為のサポート情報を基に、ＧＰＳ衛星から電波を受信して情報を取得する。また、情報取得部１０３に取得された情報は携帯無線端末１００の位置測位を行うために用いられる。
【００２５】
端末制御部１０４は、セルラー通信部１０１、無線ＬＡＮ通信部１０２、情報取得部１０３、入力部１０５、ＲＯＭ１０６、ＲＡＭ１０７、表示部１０８、位置算出部１０９及び移動速度算出部１１０を制御するための制御部として使用される。設定手段、認証手段及び制御手段としての端末制御部１０４は、移動速度算出部１１０により算出された算出結果を基に、携帯無線端末１００の電源ＯＮ中に、常に定期的に携帯無線端末１００の移動速度を判断する。
【００２６】
端末制御部１０４は、例えば閾値を基準として携帯無線端末１００の移動速度が速いか否かを判断する。つまり、携帯無線端末１００の移動速度が閾値以上である場合は携帯無線端末１００の移動速度が速い、携帯無線端末１００の移動速度が閾値未満である場合は携帯無線端末１００の移動速度が速くない（携帯無線端末１００の移動速度が緩やか、または携帯無線端末１００が移動していない）と判断される。なお、携帯無線端末１００の移動速度が閾値より大きい場合は携帯無線端末１００の移動速度が速い、携帯無線端末１００の移動速度が閾値以下である場合は携帯無線端末１００の移動速度が速くないと判断されることでも実施可能である。
【００２７】
端末制御部１０４は、携帯無線端末１００の移動速度が速いと判断された場合に、携帯無線端末１００の通信モードを複数ネットワークシステム中の無線ＬＡＮシステム以外のネットワークシステムと通信する通信モード、例えばセルラー移動無線電話システムと通信する通信モードに設定する。また、端末制御部１０４は、携帯無線端末１００の移動速度が速いと判断された場合に、無線ＬＡＮシステムの無線周波数及び信号強度の監視を停止させる。
【００２８】
端末制御部１０４は、携帯無線端末１００の移動速度が速くないと判断された場合に、無線ＬＡＮシステムの無線周波数及び信号強度の監視を行わせる。そして、無線ＬＡＮシステムの無線周波数が所定の周波数であること及び無線ＬＡＮシステムの信号強度が規定値以上であることが判断された場合に、無線ＬＡＮシステムへの接続の認証を行う。無線ＬＡＮシステムへの接続の認証が確認された場合に、端末制御部１０４は、携帯無線端末１００の通信モードを無線ＬＡＮシステムと通信する通信モードに設定する。また、無線ＬＡＮシステムへの接続の認証が確認されなかった場合に、無線ＬＡＮシステムの無線周波数及び信号強度の監視を停止させる。そして、端末制御部１０４は、携帯無線端末１００の通信モードを複数ネットワークシステム中の無線ＬＡＮシステム以外のネットワークシステムと通信する通信モード、例えばセルラー移動無線電話システムと通信する通信モードに設定する。
【００２９】
入力部１０５は、例えば携帯無線端末１００の使用者が携帯無線端末１００を制御するための入力部（キーパッド）として使用される。
【００３０】
ＲＯＭ１０６は、携帯無線端末１００を制御するための処理及び通信処理等のプログラムが格納されている不発揮メモリとして使用される。
【００３１】
ＲＡＭ１０７は、一次的にデータを保持するための発揮メモリとして使用される。ＲＡＭ１０７は、例えば位置算出部１０９により算出された携帯無線端末１００の位置情報を保持し、その保持された位置情報は、移動速度算出部１１０が携帯無線端末１００の移動速度を算出する時に用いられる。
【００３２】
表示部１０８は、携帯無線端末１００の表示部、例えば、ＬＣＤ表示部として使用される。
【００３３】
位置算出部１０９は、ＧＰＳ（Ｎetwork assisted ＧＰＳ）及びＯＴＤＯＡ(Observed Time Difference of Arrival)の測位方式を併用して携帯無線端末１００の位置測位を行い、また、これらを併用することで、位置測位精度を高めるようにする。すなわち、位置算出部１０９は、情報取得部１０３が取得した情報に基づいて、携帯無線端末１００の位置を算出する。また、位置算出部１０９は、セルラー通信部１０１によって複数の基地局から受信された電波の位相差から携帯無線端末１００の位置を算出する。そして、位置算出部１０９は、ＧＰＳ及びＯＴＤＯＡの測位方式を併用して算出した携帯無線端末１００の位置情報をＲＡＭ１０７に保存する。位置算出部１０９は、携帯無線端末１００の電源ＯＮ中に、常に定期的に携帯無線端末１００の位置測位を行う。
【００３４】
算出手段としての移動速度算出部１１０は、位置算出部１０９により算出された携帯無線端末１００の位置情報と、前回算出された携帯無線端末１００の位置情報（ＲＡＭ１０７に保存されている携帯無線端末１００の位置情報）から携帯無線端末１００の移動速度を算出する。移動速度算出部１１０は、携帯無線端末１００の電源ＯＮ中に、常に定期的に携帯無線端末１００の移動速度の算出を行う。
【００３５】
以下、図２を用いて本発明の一実施の形態に係る携帯無線端末１００の通信モード設定動作の一例を説明する。
【００３６】
携帯無線端末１００は、ＧＰＳ衛星３００からの電波を受信し、携帯無線端末１００の位置を測位して、その位置情報を基に移動速度を算出する。また、携帯無線端末１００は、ＧＰＳ及びＯＴＤＯＡの測位方式を併用することにより位置測位精度を高める。携帯無線端末１００が移動しておらず（一定の場所に留まっている）、且つ無線ＬＡＮアクセスポイント２００を介して無線ＬＡＮシステムと通信可能な無線ＬＡＮシステム通信エリア４００内にあると確認された場合、携帯無線端末１００の通信モードは無線ＬＡＮシステムと通信する通信モードに設定される。そして、携帯無線端末１００は、インターネット網５００とつながっている無線ＬＡＮアクセスポイント２００を介して無線ＬＡＮシステムと通信を行う。
【００３７】
以下、図３を用いて本発明の一実施の形態に係る携帯無線端末１００の通信モード設定動作の他の例を説明する。
【００３８】
携帯無線端末１００は、ＧＰＳ衛星３００からの電波を受信し、携帯無線端末１００の位置を測位して、その位置情報を基に移動速度を算出する。また、携帯無線端末１００は、ＧＰＳ及びＯＴＤＯＡの測位方式を併用することにより位置測位精度を高める。携帯無線端末１００が移動しており、無線ＬＡＮシステム通信エリア４００内からその外に移動したことが確認され、且つセルラー移動無線電話システム通信エリア７００内にある場合に、携帯無線端末１００の通信モードはセルラー移動無線電話システムと通信する通信モードに設定される。そして、携帯無線端末１００は、基地局６００を介してセルラー移動無線電話システムと通信を行う。
【００３９】
以下、図４Ａ及び図４Ｂに示すフロー図を用いて本発明の一実施の形態に係る端末制御部１０４の動作の一例を説明する。
【００４０】
まず、端末制御部１０４は、携帯無線端末１００の通信モードをセルラー移動無線電話システムと通信する通信モードに設定する（Ｓ４００１）。
【００４１】
そして、端末制御部１０４は、無線ＬＡＮシステムの無線周波数及び信号強度の監視を開始させる（Ｓ４００２）。
【００４２】
次に、端末制御部１０４は、移動速度算出部１１０により算出された携帯無線端末１００の移動速度情報を基に、携帯無線端末１００の移動速度が速いか否かを判断する（Ｓ４００３）。端末制御部１０４は、例えば閾値を基準として携帯無線端末１００の移動速度が速いか否かを判断する。
【００４３】
携帯無線端末１００の移動速度が速いと判断された場合（Ｓ４００３：ＹＥＳ）、端末制御部１０４は無線ＬＡＮシステムの無線周波数及び信号強度の監視を停止させる（Ｓ４００４）。
【００４４】
そして、端末制御部１０４は、携帯無線端末１００の通信モードをセルラー移動無線電話システムと通信する通信モードに設定する（Ｓ４００５）。例えば携帯無線端末１００の移動速度が速い、且つ携帯無線端末１００の通信モードがセルラー移動無線電話システムと通信する通信モードである場合、携帯無線端末１００の通信モードはセルラー移動無線電話システムと通信する通信モードから無線ＬＡＮシステムと通信する通信モードへ切り替えられず、セルラー移動無線電話システムとの通信が継続される。また、例えば携帯無線端末１００の移動速度が速い、且つ携帯無線端末１００の通信モードが無線ＬＡＮシステムと通信する通信モードである場合、携帯無線端末１００の通信モードは無線ＬＡＮシステムと通信する通信モードからセルラー移動無線電話システムと通信する通信モードへ切り替えられる。そして、ステップＳ４００３に進む。
【００４５】
一方、携帯無線端末１００の移動速度が速くないと判断された場合（Ｓ４００３：ＮＯ）、端末制御部１０４は、無線ＬＡＮシステムの無線周波数及び信号強度の監視が停止されているか否かを判断する（Ｓ４００６）。
【００４６】
無線ＬＡＮシステムの無線周波数及び信号強度の監視が停止されたと判断された場合（Ｓ４００６：ＹＥＳ）、端末制御部１０４は、無線ＬＡＮシステムの無線周波数及び信号強度の監視を開始させる（Ｓ４００７）。そして、端末制御部１０４は、無線ＬＡＮ通信部１０２により監視された無線ＬＡＮシステムの無線周波数及び信号強度の情報を基に、無線ＬＡＮシステムの無線周波数が所定の無線周波数であること及び無線ＬＡＮシステムの信号強度が規定値以上であることを判断する（Ｓ４００８）。
【００４７】
一方、Ｓ４００６において、無線ＬＡＮシステムの無線周波数及び信号強度の監視が停止されていないと判断された場合（Ｓ４００６：ＮＯ）、ステップＳ４００８に進む。
【００４８】
無線ＬＡＮシステムの無線周波数が所定の無線周波数であること及び無線ＬＡＮシステムの信号強度が規定値以上であることが判断された場合（Ｓ４００８：ＹＥＳ）、端末制御部１０４は、無線ＬＡＮシステムへの接続の認証を行う（Ｓ４００９）。一方、無線ＬＡＮシステムの無線周波数が所定の無線周波数であること及び無線ＬＡＮシステムの信号強度が規定値以上であることが判断されなかった場合（Ｓ４００８：ＮＯ）、ステップＳ４００４に進む。
【００４９】
ステップＳ４００９に続いて、端末制御部１０４は、無線ＬＡＮシステムへの接続が認証されたか否かを確認する（Ｓ４０１０）。
【００５０】
無線ＬＡＮシステムへの接続の認証が確認された場合（Ｓ４０１０：ＹＥＳ）、すなわち、無線ＬＡＮシステムと通信可能である場合、端末制御部１０４は、携帯無線端末１００の通信モードを無線ＬＡＮシステムと通信する通信モードに設定する（Ｓ４０１１）。つまり、携帯無線端末１００の通信モードがセルラー移動無線電話システムと通信する通信モードである場合、携帯無線端末１００の通信モードをセルラー移動無線電話システムと通信する通信モードから無線ＬＡＮシステムと通信する通信モードに切り替える。一方、無線ＬＡＮシステムへの接続の認証が確認されなかった場合（Ｓ４０１０：ＮＯ）、ステップＳ４００４に進む。
【００５１】
ステップＳ４０１１に続いて、端末制御部１０４は、移動速度算出部１１０により算出された携帯無線端末１００の移動速度情報を基に、携帯無線端末１００の移動速度が速いか否かを判断する（Ｓ４０１２）。端末制御部１０４は、例えば閾値を基準として携帯無線端末１００の移動速度が速いか否かを判断するする。
【００５２】
携帯無線端末１００の移動速度が速いと判断された場合（Ｓ４０１２：ＹＥＳ）、ステップＳ４００４に進む。
【００５３】
一方、携帯無線端末１００の移動速度が速くないと判断された場合（Ｓ４０１２：ＮＯ）、端末制御部１０４は、無線ＬＡＮ通信部１０２により監視された無線ＬＡＮシステムの無線周波数及び信号強度の情報を基に、無線ＬＡＮシステムの無線周波数が所定の無線周波数であること及び無線ＬＡＮシステムの信号強度が規定値以上であることを判断する（Ｓ４０１３）。
【００５４】
無線ＬＡＮシステムの無線周波数が所定の無線周波数であること及び無線ＬＡＮシステムの信号強度が規定値以上であることが判断された場合（Ｓ４０１３：ＹＥＳ）、端末制御部１０４は、その無線ＬＡＮシステムが携帯無線端末１００と現在通信中の無線ＬＡＮシステムと異なる周辺の無線ＬＡＮシステムであるか否かを判断する（Ｓ４０１４）。一方、無線ＬＡＮシステムの無線周波数が所定の無線周波数であること及び無線ＬＡＮシステムの信号強度が規定値以上であることが判断されなかった場合（Ｓ４０１３：ＮＯ）、ステップＳ４００４に進む。
【００５５】
ステップＳ４０１４において、無線周波数が所定の無線周波数であること及び無線ＬＡＮシステムの信号強度が規定値以上であることが判断された無線ＬＡＮシステムが携帯無線端末１００と現在通信中の無線ＬＡＮシステムと異なる周辺の無線ＬＡＮシステムであると判断された場合（Ｓ４０１４：ＹＥＳ）、端末制御部１０４は、周辺の無線ＬＡＮシステムへの接続の認証を行う（Ｓ４０１６）。
【００５６】
一方、無線周波数が所定の無線周波数であること及び無線ＬＡＮシステムの信号強度が規定値以上であることが判断された無線ＬＡＮシステムが携帯無線端末１００と現在通信中の無線ＬＡＮシステムと判断された場合（Ｓ４０１４：ＮＯ）、端末制御部１０４は、携帯無線端末１００と現在通信中の無線ＬＡＮシステムとの通信を継続させる（Ｓ４０１５）。すなわち、携帯無線端末１００の移動速度が速くない、且つ携帯無線端末１００と通信中の無線ＬＡＮシステムの無線周波数が所定の無線周波数であること及び無線ＬＡＮシステムの信号強度が規定値以上であることである場合、携帯無線端末１００の通信モードは無線ＬＡＮシステムと通信する通信モードからセルラー移動無線電話システムと通信する通信モードへ切り替えられず、携帯無線端末１００と現在通信中の無線ＬＡＮシステムとの通信が継続される。そして、ステップＳ４０１２に進む。
【００５７】
ステップＳ４０１６に続いて、端末制御部１０４は、周辺の無線ＬＡＮシステムへの接続が認証されたか否かを確認する（Ｓ４０１７）。
【００５８】
周辺の無線ＬＡＮシステムへの接続の認証が確認された場合（Ｓ４０１７：ＹＥＳ）、すなわち、周辺の無線ＬＡＮシステムと通信可能である場合、端末制御部１０４は、周辺の無線ＬＡＮシステムへ通信を切り替える（Ｓ４０１８）。つまり、携帯無線端末１００の移動速度が速くない、且つ周辺の無線ＬＡＮシステムの無線周波数が所定の無線周波数であること及び無線ＬＡＮシステムの信号強度が規定値以上であることである場合、携帯無線端末１００の通信モードは無線ＬＡＮシステムと通信する通信モードからセルラー移動無線電話システムと通信する通信モードへ切り替えられず、接続の認証が確認された周辺の無線ＬＡＮシステムへ通信を切り替える。そして、ステップＳ４０１２に進む。
【００５９】
一方、周辺の無線ＬＡＮシステムへの接続の認証が確認されなかった場合（Ｓ４０１７：ＮＯ）、ステップＳ４００４に進む。
【００６０】
このように、本実施の形態によれば、携帯無線端末１００の移動速度が閾値以上である場合には、携帯無線端末１００の速度が速いと判断され、携帯無線端末１００の通信モードはセルラー移動無線電話システムと通信する通信モードに設定される。よって、頻繁な通信モードの切替を防止し、携帯無線端末１００及びネットワークシステムの処理負荷を低減しながら、継続的な通信サービスを受け、且つ利便性を向上させることができる。
【００６１】
また、携帯無線端末１００の移動速度が閾値以上である場合には、携帯無線端末１００の速度が速いと判断され、無線ＬＡＮシステムの無線周波数及び信号強度の監視が停止される。よって、携帯無線端末１００及びネットワークシステムの処理負荷を低減することができる。
【００６２】
更に、無線ＬＡＮシステムへの接続の認証が確認されなかった場合には、無線ＬＡＮシステムの無線周波数及び信号強度の監視を停止させ、携帯無線端末１００の通信モードはセルラー移動無線電話システムと通信する通信モードに設定される。よって、携帯無線端末１００及びネットワークシステムの処理負荷を低減しながら、継続的な通信サービスを受けることができる。
【００６３】
また、本発明は様々な実施の形態をとることが可能であり、本実施の形態で説明したもののみに限定されない。例えば、上記の携帯無線端末１００の通信モード切替方法をソフトウェアとしてコンピュータに実行させるようにしても良い。すなわち、上記実施の形態で説明した携帯無線端末１００の通信モード切替方法を実行するプログラムを予め例えばＲＯＭ等の記録媒体に記録しておき、そのプログラムをＣＰＵ（Central Processing Unit）によって動作させることで、本発明の携帯無線端末１００の通信モード切替方法を実行することができる。
【産業上の利用可能性】
【００６４】
本発明の携帯無線端末及びその通信モード切替方法は、頻繁な通信モードの切替を防止することができる効果を有し、複数ネットワークシステム（例えばセルラー移動無線電話システム及び無線ＬＡＮシステム）と通信が可能な携帯無線端末及びその通信モード切替方法として有用である。
【図面の簡単な説明】
【００６５】
【図１】本発明の一実施の形態に係る携帯無線端末の構成を示すブロック図
【図２】本発明の一実施の形態に係る携帯無線端末の通信モード切替の動作の一例を示す図
【図３】本発明の一実施の形態に係る携帯無線端末の通信モード切替の動作の他の例を示す図
【図４Ａ】本発明の一実施の形態に係る端末制御部の動作例の一部分を示すフロー図
【図４Ｂ】本発明の一実施の形態に係る端末制御部の動作例の他の部分を示すフロー図
【符号の説明】
【００６６】
１０１  セルラー通信部
１０２  無線ＬＡＮ通信部
１０３  情報取得部
１０４  端末制御部
１０５  入力部
１０６  ＲＯＭ
１０７  ＲＡＭ
１０８  表示部
１０９  位置算出部
１１０  移動速度算出部
【図１】
2007074517.tif 000003
【図２】
2007074517.tif 000004
【図３】
2007074517.tif 000005
【図４Ａ】
2007074517.tif 000006
【図４Ｂ】
2007074517.tif 000007